(57)【要約】【課題】  携帯端末装置側に別途防犯機能用のデバイスを追加すると、携帯端末装置の構成が複雑化するとともに、携帯端末装置のサイズが大きくなる。【解決手段】  撮像機能および無線送信機能を備えた充電器と無線通信が可能な携帯端末装置であって、表示部と、ユーザに報知するための報知部と、特定相手先に関する情報を記憶する記憶部と、ユーザからの操作を受け付ける操作部と、前記特定相手先に発呼する発呼部と、前記充電器から送信される画像データを、無線を介して受信する第１受信部と、前記受信部を介して画像データを受信した場合に、前記報知部に報知させるとともに、受信した画像データに基づく画像と前記特定相手先に関する情報とを一緒に前記表示部に表示させる制御部と、を備え、前記制御部は、受信した画像データに基づく画像と前記特定相手先に関する情報と表示している場合において、ユーザから前記特定相手先への発呼に関する操作を前記操作部により受け付けると前記発呼部に発呼させること、を特徴とする。【選択図】  図６
2012134865.tif 000002
【特許請求の範囲】
【請求項１】
撮像機能および無線送信機能を備えた充電器と無線通信が可能な携帯端末装置であって、
表示部と、
ユーザに報知するための報知部と、
特定相手先に関する情報を記憶する記憶部と、
ユーザからの操作を受け付ける操作部と、
前記特定相手先に発呼する発呼部と、
前記充電器から送信される画像データを、無線を介して受信する第１受信部と、
前記受信部を介して画像データを受信した場合に、前記報知部に報知させるとともに、受信した画像データに基づく画像と前記特定相手先に関する情報とを一緒に前記表示部に表示させる制御部と、を備え、
前記制御部は、受信した画像データに基づく画像と前記特定相手先に関する情報と表示している場合において、ユーザから前記特定相手先への発呼に関する操作を前記操作部により受け付けると前記発呼部に発呼させること、
を特徴とする携帯端末装置。
【請求項２】
前記充電器に接続するための接続端子と、
前記接続端子を介して前記充電器から受電する受電部と、
前記接続端子を介して、複数の画像データを受信する第２受信部と、を更に備え、
前記制御部は、前記第２受信部を介して受信した複数の画像データの中に、前記第１受信部を介して受信した画像データにない画像データがあるか否かを判定すること、
を更に備えたことを特徴とする請求項１に記載の携帯端末装置。
【請求項３】
前記制御部は、前記第２受信部を介して受信した複数の画像データの中に前記第１受信部を介して受信した画像データにない画像データがあると判定したときは、前記第２受信部を介して受信した複数の画像データのうち、前記第１受信部を介して受信した画像データにない画像データに基づく画像を前記表示部に表示させること、
を特徴とする請求項２に記載の携帯端末装置。
【請求項４】
前記制御部は、前記報知部に報知させている場合に、ユーザにより発呼操作とは異なる所定の操作を操作部により受け付けると、受信した画像データに基づく画像と前記特定相手先に関する情報との表示は継続する一方で、前記報知部による報知を終了することを、
を特徴とする請求項１乃至３に記載の携帯端末装置。
【請求項５】
人の有無を検知する検知部と、
前記検知部により人がいることが検知されると、検知された人を撮像し、画像データを生成する撮像部と、
前記画像データを記憶する記憶部と、
前記記憶部に記憶された画像データが所定の条件を満たすか否かを判断する判断部と、
前記判断部により所定の条件を満たすと判断された場合に、前記画像データを所定の外部機器へ無線を介して送信する第１送信部と、
を備えることを特徴とする充電器。
【請求項６】
前記記憶部は、更に、前記画像データを記憶する場合に、時刻に関する情報を関連付けて記憶し、
前記所定の条件とは、前記画像データに関連付けられた時刻と、前記画像データより前に撮像された画像データに関連付けられた時刻との差が所定時間以上であること、
を特徴とする請求項５に記載の充電器
【請求項７】
前記所定の外部機器に接続するための接続端子と、
前記所定の外部機器が前記接続端子に接続されたか否かを検知する接続検知手段と、
前記接続検知手段により前記所定の外部機器が前記接続端子に接続されたことが検知されると、前記記憶部に記憶されている画像データを、前記接続端子を介して前記所定の外部機器に送信する第２送信部と、
を更に備えることを特徴とする請求項５又は請求項６に記載の充電器。
【請求項８】
前記記憶部は、更に、前記第1送信部により送信された画像データと、前記第１送信部
により送信されていない画像データとを区別して記憶すること、を特徴とする請求項５乃至請求項７に記載の充電器。
【請求項９】
商用電源から電力を受電する受電部と、
前記接続検知手段により前記所定の外部機器が前記接続端子に接続されたことが検知された場合は、前記受電部にて受電した電力を、前記接続端子を介して前記所定の外部端末に送電する送電部と、
を更に備えることを特徴とする請求項５乃至請求項８に記載の充電器。
【請求項１０】
携帯電話機と、携帯電話機の充電に用いる充電器とによって構成される防犯システムであって、
前記充電器は、
人の有無を検知する検知部と、
前記検知部により人がいることが検知された場合に検知された人を撮像し、画像データを生成する撮像部と、
前記画像データを記憶するデータ記憶部と、
前記データ記憶部に記憶された画像データが所定の条件を満たすか否かを判断する判断部と、
前記判断部により所定の条件を満たすと判断された場合に、前記画像データを前記携帯電話機へ無線を介して送信する第１送信部と、を備え、
前記携帯電話機は、
表示部と、
ユーザに報知するための報知部と、
特定相手先に関する情報を記憶する情報記憶部と、
ユーザからの操作を受け付ける操作部と、
前記特定相手先に発呼する発呼部と、
前記充電器から送信される画像データを、無線を介して受信する受信部と、
前記受信部を介して画像データを受信した場合に、前記報知部に報知させるとともに、受信した画像データに基づく画像と前記特定相手先に関する情報とを一緒に前記表示部に表示させ、受信した画像データに基づく画像と前記特定相手先に関する情報と表示している場合において、ユーザから前記特定相手先への発呼に関する操作を前記操作部により受け付けると、前記発呼部に発呼させる制御部と、を備えることを特徴とする防犯システム。
【発明の詳細な説明】
【技術分野】
【０００１】
本発明は、携帯端末装置、携帯端末装置に用いられる充電器、及びそれらを用いた防犯システムに関する。
【背景技術】
【０００２】
近年、デジタルカメラや携帯電話機等の携帯端末装置は多機能化しており、防犯機能を備えたものも提案されている。例えば特許文献１では、カメラ本体に人体検知センサを設け、その人体検知センサで人の接近を検知すると、自動で画像を撮影することが提案されている。また、特許文献２、３では、デジタルカメラを充電台にセットすると、デジタルカメラが監視カメラとして機能することが提案されている。
【先行技術文献】
【特許文献】
【０００３】
【特許文献１】特開２００１−３６７７５号公報
【特許文献２】特開２００３−７５９０７号公報
【特許文献３】特開２００４−１２００６７号公報
【発明の概要】
【発明が解決しようとする課題】
【０００４】
しかしながら、従来の方法では、いずれも携帯端末装置側に別途防犯機能用のデバイスを追加しなければならないため、携帯端末装置の構成が複雑化するとともに、携帯端末装置のサイズが大きくなるという課題が生じる。
【０００５】
そこで、本発明は係る問題に鑑みてなされたものであり、簡単な構成で防犯機能を追加することができる携帯端末装置を提供することを目的とする。
【課題を解決するための手段】
【０００６】
上記課題を解決するために、本発明に係る携帯端末装置は、撮像機能および無線送信機能を備えた充電器と無線通信が可能な携帯端末装置であって、表示部と、ユーザに報知するための報知部と、特定相手先に関する情報を記憶する記憶部と、ユーザからの操作を受け付ける操作部と、前記特定相手先に発呼する発呼部と、前記充電器から送信される画像データを、無線を介して受信する第１受信部と、前記受信部を介して画像データを受信した場合に、前記報知部に報知させるとともに、受信した画像データに基づく画像と前記特定相手先に関する情報とを一緒に前記表示部に表示させる制御部と、を備え、前記制御部は、受信した画像データに基づく画像と前記特定相手先に関する情報と表示している場合において、ユーザから前記特定相手先への発呼に関する操作を前記操作部により受け付けると前記発呼部に発呼させること、を特徴とする。
【発明の効果】
【０００７】
本発明によれば、携帯端末装置にデバイスを追加することなく、防犯機能を実現することができる。
【図面の簡単な説明】
【０００８】
【図１】携帯電話機１００の外観斜視図である。
【図２】携帯電話機１００の構成図である。
【図３】充電器２００の外観斜視図である。
【図４】充電器２００の構成図である。
【図５】充電器２００の制御処理の遷移を説明するための図である。
【図６】携帯電話機１００の制御処理の遷移を説明するための図である。
【図７】表示部１０２に表示される内容の一例を示すための図である。
【発明を実施するための形態】
【０００９】
本発明に係る実施の形態を、携帯電話機１００及び充電器２００を用いて説明する。本実施の形態は、充電器２００は、携帯電話機１００と充電器２００とが互いに接続されていない場合に撮像した画像データを携帯電話機１００に送信し、そして、携帯電話機１００は、充電器２００により送信された画像データを受信した場合は、受信した画像データを表示部１０２に表示するとともに、受信した画像データがあることをユーザに通知するものである。
〔携帯電話機１００の構成〕
図１は、携帯電話機１００の外観斜視図である。
【００１０】
図１に示されるように、携帯電話機１００には、アンテナ１０１、表示部１０２、操作部１０３、マイク１０４、スピーカ１０５、撮像部１０６が設けられている。また、携帯電話機１００は、図示はしていないが、後述する充電器２００と接続するために、充電器接続部１０７が設けられている。
【００１１】
次に、図２を用いて、携帯電話機１００の構成を説明する。携帯電話機１００は、無線部１０８、マイク１０４、報知手段としてのスピーカ１０５、信号処理部１０９、記憶部１１０、操作部１０３、撮像部１０６、充電器接続部１０７、制御部１１１、及び電池１１２により構成されている。
【００１２】
無線部１０８は、アンテナ１０１を介して送受信する信号の変復調を行う。また、無線部１０８は、後述する充電器２００から送信されたデータを、アンテナ１０１を介して受信し、制御部１１１に出力する機能を有する。
【００１３】
信号処理部１０９は、マイク１０４から出力される音声信号を、無線部１０８を介して送信するための処理や、アンテナ１０１から無線部１０８を介して受信した音声信号を、スピーカ１０５へ出力するための処理を行う。また、制御部１１１からの指示に基づいて、記憶部１１０に記憶されている報知音に関するデータをスピーカ１０５に出力するための処理を行う。
【００１４】
マイク１０４は、入力された音声を音声信号として信号処理部１０９へ出力する。
【００１５】
スピーカ１０５は、信号処理部１０９にて処理された音声信号又は報知音に関するデータを、音声又は報知音として出力する。
【００１６】
記憶部１１０は、ＲＯＭ、ＲＡＭ、ＥＥＰＲＯＭ、不揮発性ＲＡＭ、フラッシュメモリ、ＨＤＤ等で構成され、制御部１１１で処理されるプログラム等を記憶する。また、記憶部１１０は、充電器２００から送信された画像データを記憶する。記憶部１１０は、更に、ユーザに報知するための報知音に関する報知データと、発呼するのに必要な特定相手先の情報を記憶している。尚、発呼するのに必要な相手先情報とは、例えば特定相手先の氏名、電話番号である。
【００１７】
表示部１０２は、ＬＣＤ（Ｌｉｑｕｉｄ  Ｃｒｙｓｔａｌ  Ｄｉｓｐｌａｙ）を含み、後述する制御部１１１からの指示に基づいて、文字、アイコン、記憶部１１０に保存された画像等をＬＣＤに表示する機能を有している。
【００１８】
操作部１０３は、通話、データの入力、データの送信、携帯電話機１００が備える機能の動作指示等の操作を受け付ける。操作部１０３は、ユーザからキー操作にて動作指示を受け付けると、受け付けた動作指示に対応する動作指示情報を制御部１１１へ出力する。操作部１０３は、例えば通話キー、終話キー、決定キー、メールアプリを指示するキー、テレビ放送の受信を指示するキー、数字入力又は文字入力が可能なキー等により構成されている。
【００１９】
撮像部１０６は、ガラス又はプラスチックからなる光学レンズ、及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子により構成され、光学レンズを介して入力される情報を撮像素子で電気信号に変換し、画像データを生成する。撮像部１０６は、操作部１０３を介して撮像の指示を受け付けると、画像データを生成する。撮像部１０６は、生成した画像データを制御部１１１に出力する。
【００２０】
充電器接続部１０７は、１つ又は複数の端子によって構成され、後述する充電器２００の携帯電話機接続部２０１と接続する機能を有する。また、充電器接続部１０７は、充電器２００と接続している場合に、充電器２００から供給された電力を電池１１２に供給することにより充電する機能を有している。充電器接続部１０７は、更に、充電器２００と接続している場合に、携帯電話機接続部２０１を介して送られてきた画像データを受信し、受信した画像データを、制御部１１１を介して記憶部１１０に保存する機能を有している。
【００２１】
制御部１１１は、携帯電話機１００の全体動作の制御を行う。制御部１１１は、例えばＣＰＵ（Central Processing Unit）などの処理手段である。
【００２２】
また、制御部１１１は、アンテナ１０１を介して充電器２００から画像データを受信した場合は、記憶部１１０に記憶されている報知データに基づく報知音をスピーカ１０５から出力させる。そして、制御部１１１は、報知音をスピーカ１０５から出力している間に、操作部１０３を介してユーザからの操作を受け付けた場合は、スピーカ１０５からの報知を終了する。制御部１１１は、報知音をスピーカ１０５から出力している間、充電器２００から受信した画像データに基づく画像を表示部１０２に表示させる。また、この場合には制御部１１１は、例えば図７に示されるように、表示部１０２に画像データに基づく画像を表示させるとともに、特定相手先へ発呼するか否かの表示をさせてもよい。制御部１１１は、操作部１０３を介して特定相手先への発呼の指示を受け付けると、特定相手先への発呼を行う。また、制御部１１１は、特定相手先への発呼の指示とは異なる操作を受け付けた場合には、画像と特定相手先の表示を継続する一方で、報知音の出力を終了する。
【００２３】
また、制御部１１１は、充電器接続部１０７を介して画像データを受信した場合は、充電器接続部１０７を介して受信した画像データの中に、アンテナ１０１を介して受信していない画像データがあるか否かを判定する。制御部１１１は、アンテナ１０１を介して受信していない画像データがある場合には、その画像データに基づく画像を表示部１０２に表示させる。この場合に制御部１１１は、記憶部１１０に記憶されている報知データに基づく報知音をスピーカ１０５から出力させる。制御部１１１は、報知音を出力している場合に、操作部１０３を介してユーザによる操作を受け付けたときは、画像の表示と報知音の出力を終了する。
〔充電器２００の構成〕
図３は、充電器２００の外観斜視図である。充電器２００には、携帯電話機１００と接続するための携帯電話機接続部２０１と、撮像部２０２と、人感センサ２０３が設けられている。
【００２４】
次に、図４を用いて、充電器２００の構成を説明する。充電器２００は、送信部２０５と、人感センサ２０３と、撮像部２０２と、記憶部２０６と、携帯電話機接続部２０１と、電源部２０７と、アンテナ２０４と制御部２０８とによって構成される。
【００２５】
送信部２０５は、制御部２０８からの指示に基づいて、アンテナ２０４を介して記憶部２０６に記憶された画像データを携帯電話機１００に送信する。
【００２６】
人感センサ２０３は、携帯電話機１００が携帯電話機接続部２０１に接続されていない場合に、人の有無を検知する機能を有する。人感センサ２０３は、人を検知した場合に、人を検出したことを後述する制御部２０８へ出力する。具体的には、人感センサ２０３は、赤外線又は超音波による感知器等で構成される。赤外線による人感センサ２０３の場合は、人が発する赤外線熱を受信し、この熱量の変化によって人の有無を検知する。また、超音波による人感センサ２０３の場合は、出力する音波（およそ４０ｋＨＺ）と、反射してくる音波を比較して人の有無を検知する。ドップラー効果により、物体が遠ざかったり、近づいたりすると反射してくる音波の周波数に差異が生じることは良く知られている。
【００２７】
撮像部２０２は、ガラス又はプラスチックからなる光学レンズ、及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子により構成され、光学レンズを介して入力される画像を撮像素子で電気信号に変換し、画像データを生成する。撮像部２０２は、人感センサ２０３により人が検知された場合に、被写体の撮影を実行し、画像データを生成する。撮像部２０２は、生成した画像データを制御部２０８に出力する。
【００２８】
記憶部２０６は、ＲＯＭ、ＲＡＭ、ＥＥＰＲＯＭ、不揮発性ＲＡＭ、フラッシュメモリ、ＨＤＤ等で構成され、制御部２０８で処理されるプログラム等を記憶する。また、撮像部２０２で撮像された画像データを記憶する機能を有する。
【００２９】
携帯電話機接続部２０１は、１つ又は複数の端子によって構成され、携帯電話機１００の充電器接続部１０７に直接接続される。携帯電話機接続部２０１は、携帯電話機１００の充電器接続部１０７との接続を検知すると、携帯電話機１００との接続を検知したことを制御部２０８に出力する。携帯電話機接続部２０１は、携帯電話機１００の充電器接続部１０７が接続されている場合に、制御部２０８からの指示に基づいて、電源部２０７からの電力を携帯電話機１００に供給する。また、携帯電話機接続部２０１は、携帯電話機１００の充電器接続部１０７に接続されている場合に、制御部２０８からの指示に基づいて、記憶部２０６に記憶されている画像データを、携帯電話機接続部２０１を介して携帯電話機１００に出力する。
【００３０】
電源部２０７は、図示しない商用電源から電力を受電する機能を有する。電源部２０７は、商用電源から受電した電力を、携帯電話機接続部２０１を介して携帯電話機１００に供給する。
【００３１】
制御部２０８は、充電器２００の全体動作の制御を行う。制御部２０８は、例えばＣＰＵ（Central Processing Unit）などの処理手段である。また、制御部２０８は、携帯電
話機接続部２０１が充電器接続部１０７と接続されていない場合は、人感センサ２０３からの出力に応じて、撮像部２０２に撮像させる機能を有する。具体的には、制御部２０８は、携帯電話機接続部２０１が充電器接続部１０７と接続されていない場合において、人感センサ２０３により人が検知されると、撮像部２０２に被写体を撮像させる。そして、制御部２０８は、撮像部２０２により撮像された画像データを撮像した時刻と一緒に、記
憶部２０６に記憶させる。
【００３２】
また、制御部２０８は、携帯電話機接続部２０１が充電器接続部１０７と接続された場合は、電源部２０７に、商用電源から受電した電力を、携帯電話機接続部２０１を介して携帯電話機１００に供給させる。
【００３３】
また、制御部２０８は、携帯電話機接続部２０１が充電器接続部１０７に接続された場合は、記憶部２０６に記憶されている画像データを、携帯電話機接続部２０１を介して携帯電話機１００に出力する。
【００３４】
また、制御部２０８は、撮像部２０２に撮像させた場合に、前回撮像した時からどれだけの時間が経過しているかを検出する。制御部２０８は、検出した時間が所定時間以内の場合には、直近に撮像された画像データを、送信部２０５により送信させる。具体的には、例えば、制御部２０８が撮像部２０２に撮像させた場合に、撮像させた時刻が１５時００分であったとする。制御部２０８は、例えば１５時００分よりも１０分前、つまり１４時５０分から１５時００分までの間に撮像した画像データが記憶部２０６に記憶されているかを判定する。制御部２０８は、１４時５０分から１５時００分までの間に撮像された画像データがある場合には、１５時００分に撮像された画像データを、送信部２０５により送信させる。制御部２０８は、１４時５０分から１５時００分までの間に撮像された画像データがない場合は、撮像した画像を、アンテナ２０４を介して携帯電話機１００に送信しない。
〔携帯電話機１００と充電器２００の動作処理〕
次に、図５、図６を用いて、携帯電話機１００と充電器２００の動作処理を説明する。最初に、充電器２００の動作処理を、図５を用いて説明する。
【００３５】
携帯電話機接続部２０１は、携帯電話機１００が接続されたか否かを検出する（Ｓ１）。携帯電話機接続部２０１は、携帯電話機１００が接続された場合には、携帯電話機１００が接続されたことを制御部２０８に出力する（Ｓ１のＹＥＳ）。
【００３６】
制御部２０８は、携帯電話機接続部２０１が携帯電話機１００との接続を検出していないときは（Ｓ１のＮＯ）、人感センサ２０３を起動する（Ｓ１１）。次に人感センサ２０３は、人の有無を検知する。
【００３７】
制御部２０８は、人感センサ２０３により人が検知された場合には（Ｓ１２のＹＥＳ）、撮像部２０２に撮像を実行させる（Ｓ１３）。制御部２０８は、撮像部２０２により生成された画像データを、記憶部２０６に記憶させる。制御部２０８は、記憶部２０６に画像データを記憶させる場合に、撮像部２０２が撮像した時刻を一緒に記憶させる（Ｓ１４）。
【００３８】
次に制御部２０８は、記憶部２０６に画像データを記憶させた場合に、前回生成された画像データが撮像された時刻を検出する。そして、制御部２０８は、前回生成された画像データが撮像された時刻と、直近に撮像された時刻との差が所定時間以内であるか否かを判定する（Ｓ１５）。
【００３９】
制御部２０８は、前回生成された画像データが撮像された時刻と直近に撮像された時刻との差が所定時間以内である場合には（Ｓ１５のＹＥＳ）、直近に記憶した画像データを携帯電話機１００に送信する（Ｓ１６）。制御部２０８は、前回生成された画像データが撮像された時刻と直近に撮像された時刻との差が所定時間以内でない場合は（Ｓ１５のＮＯ）、直近に記憶した画像データを携帯電話機１００に送信せず、Ｓ１の処理に戻る。
【００４０】
一方で制御部２０８は、携帯電話機１００が接続された場合には（Ｓ１のＹＥＳ）、携帯電話機接続部２０１を介して、電源部２０７が受電した電力を携帯電話機１００に供給する（Ｓ２）。制御部２０８は、記憶部２０６に記憶されている画像データを、携帯電話機接続部２０１を介して携帯電話機１００に送信する（Ｓ３）。
【００４１】
以上の動作を行うことにより、充電器２００は、携帯電話機１００が充電器２００に接続されていないことによって部屋に人がいないと想定される場合には、人感センサ２０３を起動し、人の有無を検知して撮像を実行する。そして、充電器２００は、撮像された画像データを記憶部２０６に記憶するとともに、撮像された画像データを携帯電話機１００に送信する。
【００４２】
これにより、充電器２００は、人がいないと想定される部屋で人を検知するとユーザに知らせるので、部屋に泥棒等がいる可能性がある場合に、ユーザに知らせることができる。
【００４３】
次に、携帯電話機１００の動作処理を、図６を用いて説明する。
【００４４】
充電器接続部１０７は、充電器２００と接続されたか否かを検出し（Ｓ２１）、充電器２００と接続された場合には、その結果を制御部１１１に出力する。
【００４５】
制御部１１１は、充電器２００と接続されていないときは（Ｓ２１のＮＯ）、充電器２００からアンテナ１０１を介して画像データを受信したか否かを検出する（Ｓ３1）。
【００４６】
制御部１１１は、アンテナ１０１を介して画像データを受信すると（Ｓ３１のＹＥＳ）、記憶部１１０に記憶されている報知データに基づく報知音をスピーカ１０５から出力させる（Ｓ３２）。そして制御部１１１は、受信した画像データに基づく画像と、特定相手先への発呼に関する情報とを表示部１０２に表示させる（Ｓ３３）。
【００４７】
制御部１１１は、操作部１０３を介してユーザの操作を受け付けた場合に、その操作が特定相手先への発呼に関する指示か否かを判断する（Ｓ３４）。制御部１１１は、特定相手先への発呼に関する指示である場合には（Ｓ３４のＹＥＳ）、特定相手先への発呼を行う（Ｓ３５）。そして、制御部１１１は、画像の表示と報知を終了する。
【００４８】
制御部１１１は、操作部１０３を介してユーザの操作を受け付けた場合に、その操作が特定相手先への発呼に関する指示でない場合には（Ｓ３４のＮＯ）、画像と特定相手先への発呼に関する情報との表示は継続したまま、報知音による報知を終了する（Ｓ４１）。そして、制御部１１１は、報知を終了した後に受け付けた操作が、特定相手先への発呼に関する操作か否かを判断する（Ｓ４２）。
【００４９】
制御部１１１は、報知を終了した後に受け付けた操作が、特定相手先への発呼に関する操作である場合には、特定相手先への発呼を行い（Ｓ４２のＹＥＳ）、画像の表示を終了する。一方で、制御部１１１は、特定相手先への発呼に関する操作でない場合には、画像と特定相手先に関する情報の表示を終了する（Ｓ４２のＮＯ）。
【００５０】
充電器接続部１０７は、充電器２００と接続されたことを検知すると（Ｓ２１のＹＥＳ）、携帯電話機接続部２０１より受電した電力を用いて電池１１２を充電する（Ｓ２２）。そして、充電器接続部１０７は、携帯電話機接続部２０１を介して送信された画像データを制御部１１１へ出力する（Ｓ２３）。制御部１１１は、充電器接続部１０７から入力された画像データを記憶部１１０に記憶する。
【００５１】
次に、制御部１１１は、充電器接続部１０７から入力された画像データの中に、アンテナ１０１を介して受信した画像データの中にない画像データがあるか否かを判定する（Ｓ２４）。
【００５２】
制御部１１１は、アンテナ１０１を介して受信した画像データに含まれていない画像データがある場合には（Ｓ２４のＹＥＳ）、その画像データに基づく画像を表示部１０２に表示させる（Ｓ２５）。そして、制御部１１１は、画像を表示させると、報知音をスピーカ１０５より出力させる。制御部１１１は、操作部１０３を介してユーザによる操作を受け付けると、画像の表示と報知音の出力を終了する（Ｓ２６のＹＥＳ）。
【００５３】
制御部１１１は、充電器接続部１０７から入力された画像データがアンテナ１０１を介して受信した画像データと同じ場合には、取得した画像を表示せずに終了する（Ｓ２４のＮＯ）。
【００５４】
以上の動作処理により、携帯電話機１００は、充電器２００からアンテナ１０１を介して画像データを受信すると、画像の表示と報知音の出力を行う。これにより、ユーザは、部屋に人がいることを知るとともに、その状況を画像を見ることにより把握することができる。
〔その他の実施の形態〕
（１）本実施の形態では、特定相手先の情報を予め記憶部１１０に記憶されていると記載したが、必ずしもこの場合に限られない。例えば、特定相手先は、発呼する場合に、アドレス帳から発呼先を選択することとしてもよい。
【００５５】
（２）本実施の形態では、報知データについては特に記載はしなかったが、例えば、Ｓ２５の処理とＳ３２の処理とで報知される報知音が異なることとしてもよい。この場合には、記憶部１１０は、報知データを複数記憶している。
【００５６】
（３）本実施の形態では、報知音の出力によりユーザに報知すると記載したが、必ずしもこの場合に限られない。報知手段として、例えば、本実施の形態における携帯電話機１００は、自機を振動させるための振動部や、ＬＥＤ等の発光部を更に備え、制御部１１１は、報知音を出力するとともに、振動部を振動させたり、発光部を発光させたりしてもよい。また、制御部１１１は、報知音を出力する代わりに、振動させることとしてもよいし、発光部を発光させることとしてもよい。
【００５７】
（４）本実施の形態では、携帯電話機１００はストレート型の携帯電話機１００と記載したが、この場合に限られない。例えば、スライド型の携帯電話機１００であってもよいし、折りたたみ型の携帯電話機１００であってもよい。
【００５８】
（５）また、Ｓ３２の処理とＳ２５の処理とで、報知音の報知時間を異なるようにしてもよい。例えば、Ｓ３２の処理では、制御部１１１は、ユーザの操作を受け付けるまで報知は終了させないようにし、Ｓ２５の処理では、制御部１１１は、報知を所定時間行うと終了させることとしてもよい。
【００５９】
（６）本実施の形態において、充電器接続部１０７を介して受信した画像データの中に、アンテナ１０１を介して受信していない画像データがあるか否かの具体的な方法としては、例えば画像データと関連付けられている時刻情報が同じか否かに基づいて同一の画像データか否かを判定してもよいし、画像データを解析して、同一の画像か否かを判定してもよい。また、制御部２０８は画像データをアンテナ２０４を介して携帯電話機１００に送信した場合には、送信した画像データにフラグ等の識別情報を付加して記憶することとしてもよい。これにより、制御部１１１は、識別情報があるか否かで既にアンテナ１０１
を介して受信した画像であるか否かを判定することができる。
【００６０】
（７）本実施の形態では、充電器２００は、携帯電話機１００が携帯電話機接続部２０１に接続されていない場合に、人感センサ２０３を起動したが、必ずしもこの場合に限定されない。充電器２００は、携帯電話機１００が携帯電話機接続部２０１に接続されている場合でも人感センサ２０３を起動してもよい。この場合に、充電器２００は、人感センサ２０３により人を検知すると、撮像部２０２を用いて撮像してもよいし、携帯電話機接続部２０１を介して携帯電話機１００に指示を送信することにより、撮像部１０６を用いて撮像してもよい。
【００６１】
（８）本実施の形態では、充電器２００は、携帯電話機１００が携帯電話機接続部２０１に接続されている場合には、携帯電話機接続部２０１を介して画像データを送信したが、必ずしもこの場合に限定されない。充電器２００は、携帯電話機１００が携帯電話機接続部２０１に接続されている場合には、送信部２０５を介して携帯電話機１００に画像データを送信することとしてもよい。
【００６２】
この他、本実施の形態は、特許請求の範囲に示された技術思想の範囲内において、適宜、種々の変更が可能である。
【符号の説明】
【００６３】
１００  携帯電話機
１０１  アンテナ
１０２  表示部
１０３  操作部
１０４  マイク
１０５  スピーカ
１０６  撮像部
１０７  充電器接続部
１０８  無線部
１０９  信号処理部
１１０  記憶部
１１１  制御部
１１２  電池
２００  充電器
２０１  携帯電話機接続部
２０２  撮像部
２０３  人感センサ
２０４  アンテナ
２０５  送信部
２０６  記憶部
２０７  電源部
２０８  制御部
【図１】
2012134865.tif 000003
【図２】
2012134865.tif 000004
【図３】
2012134865.tif 000005
【図４】
2012134865.tif 000006
【図５】
2012134865.tif 000007
【図６】
2012134865.tif 000008
【図７】
2012134865.tif 000009